(57)【要約】【課題】装着時のガタツキがなく、着脱操作性にも優れた把持柄体を備えた把持柄着脱式鍋を提供することを目的とする。【解決手段】貫通孔４を有する柄取付け部２を設けた鍋本体１と、把持部５に、貫通孔４の上側開口部から挿入し柄取付け部２の裏面に係止する裏面係止板部６と柄取付け部２の表面に重合係止する表面係止板部７とから成る板状係止片８を突設すると共に、この表面係止板部７の下方に所定間隔をおいて柄取付け部２の裏面に係止するストッパ部９を突没自在に突設し、更にこれらの間に位置し、把持柄体３を柄取付け部２に装着した際、柄取付け部２の先端部に当接する若しくは近接状態となる金属製の対向当接部10を突設した把持柄体３とから成る把持柄着脱式鍋。【選択図】図１
2015097650.tif 000002
【特許請求の範囲】
【請求項１】
鍋本体に柄取付け部を設け、この柄取付け部に把持柄体を着脱自在に設けた把持柄着脱式鍋において、前記柄取付け部は、厚さ方向に貫通する貫通孔を有する金属製の板状部材を板面が上下方向を向くようにして前記鍋本体に突設した構成とし、前記把持柄体は、合成樹脂製の把持部の先端面に、前記貫通孔の上側開口部から挿入し前記柄取付け部の裏面に係止する裏面係止板部と該裏面係止板部が前記柄取付け部の裏面に係止した際に前記柄取付け部の表面に重合係止する表面係止板部とから成る金属製の板状係止片を突設すると共に、前記表面係止板部の下方に前記柄取付け部を配設し得る間隔をおいて前記柄取付け部の裏面に係止する金属製のストッパ部を突没自在に突設した構成とし、前記表面係止板部と前記ストッパ部との間に位置し、前記把持柄体を前記柄取付け部に装着した際、前記柄取付け部の先端部に対して対向状態に当接する若しくは近接状態となる金属製の対向当接部を前記把持部の先端面に突設した構成としたことを特徴とする把持柄着脱式鍋。
【請求項２】
前記柄取付け部と同じ厚みの平板状に形成した前記対向当接部を前記把持部の先端面に水平状態に突設し、前記把持柄体を前記柄取付け部に装着した際、この対向当接部の先端部と、前記柄取付け部の先端部とが対向配設され、夫々の先端部同士が当接する若しくは近接状態となることにより、前記把持柄体の左右方向のガタツキを抑制するように構成したことを特徴とする請求項１記載の把持柄着脱式鍋。
【請求項３】
前記ストッパ部の突没動作を操作するストッパ操作部を、前記把持部の基端部に設けると共に、このストッパ部とストッパ操作部との間に付勢体を設け、前記ストッパ操作部を引動操作すると、前記ストッパ部が没入すると共に、前記付勢体が縮退し、前記ストッパ操作部の引動操作を解除すると、前記付勢体が伸長し、この付勢体の伸長による押圧付勢により前記ストッパ部が突出すると共に、このストッパ部の突出状態が保持されるように構成したことを特徴とする請求項１，２のいずれか１項に記載の把持柄着脱式鍋。
【請求項４】
前記ストッパ部に、前記把持柄体を前記柄取付け部に装着する際、前記柄取付け部の先端部が当接する傾斜状当接部を設け、この傾斜状当接部を前記柄取付け部の先端部が押圧しながら摺動することにより、前記ストッパ部が前記付勢体の押圧付勢に抗して没入し、この柄取付け部の先端部が前記傾斜状当接部を乗り越えると、この柄取付け部の先端部による押圧が解除されて、前記押圧付勢により前記ストッパ部が突出して前記柄取付け部に係止するように構成したことを特徴とする請求項３記載の把持柄着脱式鍋。
【発明の詳細な説明】
【技術分野】
【０００１】
本発明は、把持柄を鍋に対して着脱自在に設けた把持柄着脱式鍋に関するものである。
【背景技術】
【０００２】
鍋やフライパン等のサイズが大きい調理器具は、収納場所を取るので、入れ子状態にして収納することで、コンパクトに収納できるが、従来の一般的な鍋は、長く突出した把持柄が邪魔になって、このような入れ子状態での収納ができなかった。
【０００３】
そこで、入れ子収納が可能となるよう、把持柄を着脱式にした鍋が提案され、収納時、把持柄を外して、鍋を入れ子状態にすることで、複数の鍋を収納場所を取らずにコンパクトに収納できるようになった。
【発明の概要】
【発明が解決しようとする課題】
【０００４】
しかしながら、従来の把持柄着脱式鍋は、把持柄を鍋に装着した際にガタツキがあり、このガタツキにより鍋の操作時に把持柄が動いてしまい、鍋操作に把持柄が外れてしまうのではないかという不安を感じるものや、また、連結構造が複雑で把持柄の装着が容易でないもの、更には、把持柄先端に設けた着脱操作部に調理作業時の熱が伝わり、熱くなって着脱操作ができなくなるもの等、様々な問題を抱えていた。
【０００５】
本発明は、上述のような現状の問題に鑑み、この種の把持柄着脱式鍋の改良に係るもので、把持柄を装着した際のガタツキを抑制し安定した鍋操作を可能にし、しかも、調理時の熱の影響を受けずに容易に把持柄の着脱操作をすることができる実用性に優れた把持柄着脱式鍋を提供することを目的とする。
【課題を解決するための手段】
【０００６】
添付図面を参照して本発明の要旨を説明する。
【０００７】
鍋本体１に柄取付け部２を設け、この柄取付け部２に把持柄体３を着脱自在に設けた把持柄着脱式鍋において、前記柄取付け部２は、厚さ方向に貫通する貫通孔４を有する金属製の板状部材を板面が上下方向を向くようにして前記鍋本体１に突設した構成とし、前記把持柄体３は、合成樹脂製の把持部５の先端面に、前記貫通孔４の上側開口部から挿入し前記柄取付け部２の裏面に係止する裏面係止板部６と該裏面係止板部６が前記柄取付け部２の裏面に係止した際に前記柄取付け部２の表面に重合係止する表面係止板部７とから成る金属製の板状係止片８を突設すると共に、前記表面係止板部７の下方に前記柄取付け部２を配設し得る間隔をおいて前記柄取付け部２の裏面に係止する金属製のストッパ部９を突没自在に突設した構成とし、前記表面係止板部７と前記ストッパ部９との間に位置し、前記把持柄体３を前記柄取付け部２に装着した際、前記柄取付け部２の先端部に対して対向状態に当接する若しくは近接状態となる金属製の対向当接部10を前記把持部５の先端面に突設した構成としたことを特徴とする把持柄着脱式鍋に係るものである。
【０００８】
また、前記柄取付け部２と同じ厚みの平板状に形成した前記対向当接部10を前記把持部５の先端面に水平状態に突設し、前記把持柄体３を前記柄取付け部２に装着した際、この対向当接部10の先端部と、前記柄取付け部２の先端部とが対向配設され、夫々の先端部同士が当接する若しくは近接状態となることにより、前記把持柄体３の左右方向のガタツキを抑制するように構成したことを特徴とする請求項１記載の把持柄着脱式鍋に係るものである。
【０００９】
また、前記ストッパ部９の突没動作を操作するストッパ操作部11を、前記把持部５の基端部に設けると共に、このストッパ部９とストッパ操作部11との間に付勢体12を設け、前記ストッパ操作部11を引動操作すると、前記ストッパ部９が没入すると共に、前記付勢体12が縮退し、前記ストッパ操作部11の引動操作を解除すると、前記付勢体12が伸長し、この付勢体12の伸長による押圧付勢により前記ストッパ部９が突出すると共に、このストッパ部９の突出状態が保持されるように構成したことを特徴とする請求項１，２のいずれか１項に記載の把持柄着脱式鍋に係るものである。
【００１０】
また、前記ストッパ部９に、前記把持柄体３を前記柄取付け部２に装着する際、前記柄取付け部２の先端部が当接する傾斜状当接部13を設け、この傾斜状当接部13を前記柄取付け部２の先端部が押圧しながら摺動することにより、前記ストッパ部９が前記付勢体12の押圧付勢に抗して没入し、この柄取付け部２の先端部が前記傾斜状当接部13を乗り越えると、この柄取付け部２の先端部による押圧が解除されて、前記押圧付勢により前記ストッパ部９が突出して前記柄取付け部２に係止するように構成したことを特徴とする請求項３記載の把持柄着脱式鍋に係るものである。
【発明の効果】
【００１１】
本発明は上述のように構成したから、把持柄体を柄取付け部に装着した際の把持柄体の左右方向のガタツキを抑制することができ、しかも、このガタツキを抑制する対向当接部を金属製としたから、金属製の柄取付け部の当接による摩耗劣化が無く、柄取付け部と対向当接部との対向間隔が拡がらないので、ガタツキの増大も生じず、長期的に把持柄体を安定状態で装着でき、常に安心して鍋操作を行うことができる実用性に優れた把持柄着脱式鍋となる。
【００１２】
また、請求項２記載の発明においては、簡易な構成でありながら、一層確実に把持柄体を柄取付け部に装着した際の把持柄体の左右方向のガタツキを抑制することができる画期的な把持柄着脱式鍋となる。
【００１３】
また、請求項３の発明においては、調理時の熱の影響を受けずに容易に把持柄体の柄取付け部への着脱操作をすることができ、しかも、鍋本体の柄取付け部への把持柄体の装着状態を保持するストッパ部の柄取付け部への係止状態が確実に保持され、鍋操作時に把持柄体が離脱する心配もなく、安心して鍋操作を行うことができる操作性及び実用性に優れた把持柄着脱式鍋となる。
【００１４】
また、請求項４記載の発明においては、把持柄体を柄取付け部に装着する際、ストッパ操作部を操作しなくても、ストッパ部が退避位置に没入し、把持柄体が柄取付け部に装着状態となった際に自動的に突出して柄取付け部に係止するから、ワンタッチで把持柄体を柄取付け部に装着することができる操作性に優れた把持柄着脱式鍋となる。
【図面の簡単な説明】
【００１５】
【図１】本実施例を示す説明斜視図である。
【図２】本実施例の把持柄体を鍋本体の柄取付け部に装着した状態を示す側断面図である。
【図３】図２における裏面係止板部とストッパ部との柄取付け部への係止状態を示す説明底面図である。
【図４】本実施例の把持柄体を鍋本体の柄取付け部から離脱させるためにストッパ操作部を引動操作してストッパ部を退避位置に没入させた状態を示す側断面図である。
【図５】本実施例の把持柄体の柄取付け部への装着方法を示す説明図である。
【発明を実施するための形態】
【００１６】
好適と考える本発明の実施形態を、図面に基づいて本発明の作用を示して簡単に説明する。
【００１７】
鍋本体１に把持柄体３を装着する際、把持部５を把持して、この把持部５の先端面に突設した板状係止片８の先端側に位置する裏面係止板部６を鍋本体１に設けた柄取付け部２の貫通孔４の上側開口部から挿入し、ストッパ部９を退避位置まで没入させた状態で把持柄体３の基端部を下げるようにこの把持柄体３を伏倒回動させると、貫通孔４に挿入した裏面係止板部６の上面が柄取付け部２の裏面に係止し、板状係止片８の基端側（把持部５側）に位置する表面係止板部７の裏面が柄取付け部２の表面に係止する。
【００１８】
この板状係止片８を構成する裏面係止板部６及び表面係止板部７が柄取付け部２に係止した状態で、更に退避位置に没入させたストッパ部９を突出させると、このストッパ部９の上面が柄取付け部２の裏面に係止して、把持柄体３の鍋本体１への装着が完了する。
【００１９】
これにより、把持柄体３を上方に持ち上げると、柄取付け部２の裏面に当接係止している裏面係止板部６とストッパ部９とが鍋本体１を支承し、柄取付け部２の表面に当接係止している表面係止板部７が片持ち状態に支承した鍋本体１の傾倒を抑制して、安定状態で鍋本体１を支承することができる。
【００２０】
また、この柄取付け部２の裏面に係止したストッパ部９は、鍋本体１を支承するだけでなく、表面係止板部７と共に柄取付け部２を挟持するから、柄取付け部２に装着した把持柄体３は、この表面係止板部７とストッパ部９とが柄取付け部２を挟持することで離脱不能となり、より一層安定状態で装着される。
【００２１】
更に、本発明は、この把持柄体３を柄取付け部２に装着すると、表面係止板部７の直下に位置する対向当接部10の先端部が、柄取付け部２の先端部と対向状態となると共に、これら先端部同士が当接状態若しくは近接状態となる。
【００２２】
即ち、この対向当接部10が、柄取付け部２の先端部と、把持部５の先端面との間に形成される隙間を埋め、この対向当接部10に柄取付け部２の先端部が当接若しくは近接状態となることによって、柄取付け部２に装着した把持柄体３の左右方向へのガタツキが抑制されることとなる。
【００２３】
しかも、本発明は、この把持柄体３の左右方向へのガタツキを抑制する対向当接部10を金属製としたから、金属製の柄取付け部２の当接による摩耗劣化による隙間の拡大が無く、従って、摩耗劣化によるガタツキの増大も無く、長期的に把持柄体３を安定状態で装着でき、常に安心して鍋操作を行うことができる実用性に優れた把持柄着脱式鍋となる。
【実施例】
【００２４】
本発明の具体的な実施例について図面に基づいて説明する。
【００２５】
本実施例は、鍋本体１に柄取付け部２を設け、この柄取付け部２に把持柄体３を着脱自在に設けた把持柄着脱式鍋に係るものである。
【００２６】
以下、本実施例に係る構成各部について詳細に説明する。
【００２７】
本実施例の柄取付け部２は、厚さ方向に貫通する貫通孔４を有する金属製の板状部材を板面が上下方向を向くようにして鍋本体１に突設した構成としている。
【００２８】
具体的に説明すると、本実施例の柄取付け部２は、方形状に形成した金属板材の板面中央部付近にこの柄取付け部２の先端側縁部と平行な長孔形状の貫通孔４を穿孔し、鍋本体１の周面に重合係止する板状の鍋固定部14の上端部に水平方向に突設した構成とし、より具体的には、本実施例では、一枚の金属製板材をＬ字状に曲成して、垂直部を鍋固定部14、水平部を柄取付け部２として鍋本体１に設けた構成としている。
【００２９】
また、本実施例の把持柄体３は、合成樹脂製の把持部５の先端面に、柄取付け部２に係脱自在に係止する金属製の板状係止片８を突設すると共に、この板状係止片８の下方に柄取付け部２を配設し得る（介在し得る）間隔をおいて柄取付け部２に係止する金属製のストッパ部９を突没自在に突設した構成とし、更に、この板状係止片８とストッパ部９との間に、この把持柄体３を柄取付け部２に装着した際、柄取付け部２の先端部に対して対向状態に当接する若しくは近接状態となる金属製の対向当接部10を把持部５の先端面に突設した構成としている。
【００３０】
具体的には、板状係止片８は、柄取付け部２の貫通孔４の上側開口部から挿入し柄取付け部２の裏面、具体的には、貫通孔４の裏面側周縁の鍋本体１側となる先端側に係止する裏面係止板部６と、この裏面係止板部６が柄取付け部２の裏面に係止した際に柄取付け部２の表面、具体的には、貫通孔４から把持柄体３側となる基端側の表面に重合係止する表面係止板部７とから成る構成としている。
【００３１】
より具体的には、本実施例の板状係止片８は、金属製の帯板材から成る表面係止板部７の先端部を下方に向けて折曲して垂設板部を形成し、更にこの垂設板部の先端を前方に向けて略直角に折曲して水平板部を形成し、本実施例では、この水平板部を裏面係止板部６とし、垂設板部はこの裏面係止板部６と表面係止板部７とを連設する連設部15とした構成としている。
【００３２】
また、ストッパ部９は、金属製の板状部材から成り、上述した板状係止片８の表面係止板部７から柄取付け部２が配設可能な間隔、具体的には、柄取付け部２の厚みと略同等の間隔をおいて把持部５の先端面に突没自在に設けた構成とし、また、この突没動作は、把持部５の基端部に設けたストッパ操作部11の操作により成される構成としている。
【００３３】
具体的には、本実施例のストッパ部９は、連結板部16を介して把持部５の基端部に前後方向に進退自在に突設したストッパ操作部11と連設して、このストッパ操作部11の進退移動により前記把持部５の先端面に対して突没移動自在に設けた構成としている。
【００３４】
また、本実施例は、この連結板部16の長さ方向途中にバネ当接部17を設け、このバネ当接部17を把持部５に設けた付勢体12、具体的にはコイルばね12が押圧付勢するように構成し、このコイルばね12の押圧付勢に抗してストッパ操作部11を引動操作すると、コイルばね12が縮退してストッパ部９が没入し、このストッパ操作部11の引動操作を止めて解放すると、コイルばね12が伸長し、バネ当接部17を押圧付勢することにより連設部15が前方に移動し、この連設部15の前方への移動によりストッパ部９が把持部５の先端面から突出すると共に、付勢体12の押圧付勢により突出状態が保持される構成としている。
【００３５】
また更に、本実施例のストッパ部９は、把持柄体３を柄取付け部２に装着する際、柄取付け部２の先端部が当接する傾斜状当接部13を先端部に設けた構成としている。
【００３６】
具体的には、本実施例の傾斜状当接部13は、金属製の板状部材から成り、水平板状のストッパ部９の先端部に、下端を把持部５の先端面側となる内方に向けて傾斜状態に垂設した構成として、本実施例のストッパ部９は、把持柄体３を柄取付け部２に装着する際、この傾斜状当接部13を柄取付け部２の先端部が押圧しながら摺動することにより、傾斜状当接部13が柄取付け部２に当接して押圧され、この押圧によりコイルばね12の押圧付勢に抗してストッパ部９が没入し退避位置に移動し、このストッパ部９が退避位置まで移動して柄取付け部２の先端部が傾斜状当接部13を乗り越えると、この柄取付け部２の先端部による傾斜状当接部13の押圧が解除されて、コイルばね12が再び伸長し、このコイルばね12の伸長によって連設部15が押圧付勢され、この押圧付勢によりストッパ部９が突出して、この突出したストッパ部９の上面が柄取付け部２の裏面に係止する構成としている。
【００３７】
また、本実施例の対向当接部10は、柄取付け部２と同じ厚みの金属製の平板部材を所定形状に形成した構成とし、把持部５に設けた位置決め係止部に位置決め係止することで、先端部が所定量、把持部５の先端面の上述した板状係止片８（表面係止板部７）とストッパ部９との間から水平方向に突出するように構成し、本実施例では、この対向当接部10の突出量を、この対向当接部10の先端が、退避位置まで没入したストッパ部９の先端と面一状態となる突出量に設定している。
【００３８】
また更に、対向当接部10は、把持柄体３を柄取付け部２に装着した際、この突出した対向当接部10の先端部と、柄取付け部２の先端部とが対向状態（突き合わせ状態）となり、夫々の先端部同士が当接する若しくは近接状態となることで把持柄体３の左右方向のガタツキを抑制する構成としている。
【００３９】
上述のように構成した本実施例の作用・効果について以下に説明する。
【００４０】
鍋本体１に把持柄体３を装着する際は、把持部５を把持して、この把持部５の先端面に突設した板状係止片８の先端側に位置する裏面係止板部６を鍋本体１に設けた柄取付け部２の貫通孔４の上側開口部から挿入し、把持柄体３の基端部を下げるようにこの把持柄体３を伏倒回動させるだけで装着が完了する。
【００４１】
即ち、裏面係止板部６を鍋本体１に設けた柄取付け部２の貫通孔４の上側開口部から挿入し、把持柄体３の基端部を下げるようにこの把持柄体３を伏倒回動させると、把持柄体３の先端面から突出しているストッパ部９の傾斜状当接部13に柄取付け部２の先端部が当接すると共に、伏倒回動に伴ってこの柄取付け部２の先端部がストッパ部９の傾斜状当接部13を押圧しながら摺動する。
【００４２】
この際、傾斜状当接部13は傾斜状態（先上がり傾斜状態）に設けられているので、伏倒回動が進むに連れ、より押し込み量が大きくなり、ストッパ部９は、この伏倒回動が進むに連れ、コイルばね12のバネ付勢（押圧付勢）に抗して徐々に押し込まれて没入してゆき、板状係止片８が柄取付け部２に当接して伏倒回動操作が終了すると、退避位置まで没入する。
【００４３】
そして、このストッパ部９が退避位置まで没入すると、柄取付け部２の先端部は傾斜状当接部13を乗り越え、対向当接部10と対向状態となると共に当接状態若しくは近接状態となり、また、板状係止片８の裏面係止板部６が柄取付け部２の裏面に重合係止し、表面係止板部７が柄取付け部２の表面に重合係止する。
【００４４】
また更に、柄取付け部２の先端部が傾斜状当接部13を乗り越えて、この柄取付け部２による押圧が解除されたストッパ部９は、柄取付け部２の押圧により縮退していたコイルばね12が伸長し、このコイルばね12の伸長によりバネ当接部17に押圧付勢が作用し連結板部16が前方に移動し、この連結板部16の前方への移動により再び突出状態となって柄取付け部２の裏面に重合係止し、装着完了となる。
【００４５】
これにより、把持柄体３を上方に持ち上げると、柄取付け部２の裏面に当接係止している裏面係止板部６とストッパ部９とが鍋本体１を支承し、柄取付け部２の表面に当接係止している表面係止板部７が片持ち状態に支承した鍋本体１の傾倒を抑制して、安定状態で鍋本体１を支承することができる。
【００４６】
また、この柄取付け部２の裏面に重合係止したストッパ部９は、鍋本体１を支承するだけでなく、表面係止板部７と共に柄取付け部２を挟持するから、柄取付け部２に装着した把持柄体３は、この表面係止板部７とストッパ部９とが柄取付け部２を挟持することで離脱不能となり、より一層安定状態で装着される。
【００４７】
しかも、本実施例は、このストッパ部９を、コイルばね12により突出状態が保持されるように構成したから、把持柄体３の柄取付け部２への係止状態が確実に保持され、鍋操作時に把持柄体３が離脱する心配がなく、安心して鍋操作を行うことができる。
【００４８】
更に、対向当接部10が、柄取付け部２の先端部と、把持部５の先端面との間に形成される隙間を埋め、この対向当接部10に柄取付け部２の先端部が当接若しくは近接状態となることによって、柄取付け部２に装着した把持柄体３の左右方向へのガタツキが抑制されることとなる。
【００４９】
このように、本実施例は、把持柄体３を鍋本体１に片手でワンタッチで装着することができ、しかも、把持柄体３は、上下方向及び左右方向へのガタツキが抑制された安定した状態で装着されるので、把持柄体３が鍋本体１から外れてしまうといった不安感が生じず、常に安心して鍋操作を行うことができる実用性に優れた把持柄着脱式鍋となる。
【００５０】
しかも、この把持柄体３の左右方向へのガタツキを抑制する対向当接部10を金属製としたから、金属製の柄取付け部２の当接による摩耗劣化による隙間の拡大が無く、従って、摩耗劣化によるガタツキの増大も無く、長期的に把持柄体３を安定状態に装着でき、より一層安心して鍋操作を行うことができる実用性に優れた把持柄着脱式鍋となる。
【００５１】
また、鍋本体１から把持柄体３を離脱させる際は、例えば片方の手で把持部５を把持し、もう一方の手で把持部５の基端部に設けたストッパ操作部11を引動操作して、柄取付け部２の裏面に重合係止しているストッパ部９を柄取付け部２から離脱させ、このストッパ部９が柄取付け部２より離脱している状態のまま、把持柄体３の基端部を上げるようにこの把持柄体３を起立回動させて、柄取付け部２の貫通孔４に挿入している裏面係止板部６を引き抜き可能な状態にし、上方に把持柄体３を引き抜くことで柄取付け部２から離脱させることができる。
【００５２】
この把持柄体３の離脱操作においては、本実施例は、ストッパ操作部11を把持柄体３の基端部側（把持部５の基端部）に設けた構成としたから、ストッパ操作部11が調理時の熱の影響を受けにくく、よって、調理中や調理後直ぐに把持柄体３の離脱操作を行う際も、ストッパ操作部11が熱くないので、容易に把持柄体３の離脱操作をすることができると共に、やけどの心配もなく、安心して鍋操作を行うことができる操作性及び実用性に優れた画期的な把持柄着脱式鍋となる。
【００５３】
尚、本発明は、本実施例に限られるものではなく、各構成要件の具体的構成は適宜設計し得るものである。
【符号の説明】
【００５４】
１  鍋本体
２  柄取付け部
３  把持柄体
４  貫通孔
５  把持部
６  裏面係止板部
７  表面係止板部
８  板状係止片
９  ストッパ部
10  対向当接部
11  ストッパ操作部
12  付勢体
13  傾斜状当接部
【図１】
2015097650.tif 000003
【図２】
2015097650.tif 000004
【図３】
2015097650.tif 000005
【図４】
2015097650.tif 000006
【図５】
2015097650.tif 000007